(57)【要約】【課題】初接続の静止画伝送装置同士の間でも送受信しようとする静止画を互いに保持している場合、無駄に静止画送受信を行わず、装置に新たな静止画保持エリアを確保しないようにし、システムの効率を上げる。【解決手段】静止画識別子受信部１１は、通信路から識別子を受信すると、該当する各種識別子かを確かめ、識別子を静止画識別子検査部１２へ渡す。ここで、静止画識別子管理エリア１４に保持している識別子と比較し、識別子が一致した場合、静止画識別子を、不一致の場合、静止画不一致識別子を静止画受信制御部２２へ渡し、一方の処理は、その識別子の静止画の保持を受信相手へ知らせるため静止画保持識別子を静止画識別子送信部１３へ渡し静止画の受信処理を終了する。他方の処理は、識別子不一致に対する送信静止画応答識別子を識別子送信部へ渡し、静止画受信部２１からの静止画受信を待ち、受信した静止画を静止画保持エリア３１へ格納する。【選択図】図１
2007274723.tif 000002
【特許請求の範囲】
【請求項１】
静止画データを保持する静止画保持手段と、該静止画保持手段が保持しいている静止画の識別子を保存する静止画識別子管理手段と、通信路から静止画識別子を受信する静止画識別子受信手段と、当該静止画識別子受信手段が受信した静止画識別子と前記静止画識別子管理手段に保存されている静止画識別子との一致／不一致を判定する静止画識別子検査手段と、通信路に静止画識別子を送信する静止画識別子送信手段と、通信路から静止画データを受信する静止画受信手段と、受信すべき静止画データの伝送の指示を制御する静止画受信制御手段を有し、
前記静止画受信手段が受信した静止画識別子について前記静止画識別子検査手段の前記判定が一致の場合、送信端へ静止画データの伝送を要しない旨を指示する送信静止画保持識別子を送信し、前記判定が不一致の場合は送信端へ静止画データの伝送を指示する送信静止画応答識別子を送信し、前記受信した静止画識別子を前記静止画識別子管理手段に格納すると共に、送信端から伝送された静止画データを受信し前記静止画保持手段に格納することを特徴とする静止画伝送装置。
【請求項２】
静止画データを保持する静止画保持手段と、該静止画保持手段が保持しいている静止画の識別子を保存する静止画識別子管理手段と、通信路から静止画識別子を受信する静止画識別子受信手段と、通信路に静止画識別子を送信する静止画識別子送信手段と、通信路に静止画データを送信する静止画送信手段と、静止画データの伝送を制御する静止画送信制御手段を有し、
前記静止画送信制御手段は、送信すべき静止画データの静止画識別子の送信に対し受信端から静止画の伝送を指示する送信静止画応答識別子の応答があった場合、前記静止画データ保持手段が保持する当該静止画識別子に該当する静止画データを伝送し、受信端で前記送信すべき静止画データを保持している旨を示す送信静止画保持識別子の応答があった場合は静止画データの伝送をしないことを特徴とする静止画伝送装置。
【請求項３】
静止画データを取込む静止画入力手段と、自端末番号及び／又は日付及び／又は順序番号格納手段と、前記静止画入力データ手段により取込んだ静止画データに識別子を設定する静止画識別子設定手段を有し、
前記静止画識別子設定手段は、前記取込んだ静止画データの静止画識別子を前記自端末番号及び／又は日付及び／又は順序番号格納手段に格納された情報から作成し、当該静止画識別子を前記静止画識別子管理手段に格納すると共に前記静止画データを前記静止画保持手段に格納することを特徴とする請求項２に記載の静止画伝送装置。
【発明の詳細な説明】
【技術分野】
【０００１】
本発明は、静止画伝送装置に関し、より詳細には、効率のよい伝送システムを構成するための静止画の送受信処理機能を有する当該伝送装置に関する。
【背景技術】
【０００２】
静止画の従来の伝送システムにおいては、送受信時は必ず静止画を送受信している。即ち、静止画伝送装置において入力されたある静止画を他のいくつかの静止画伝送装置に伝送し、ここで受信した静止画をさらに他の静止画伝送装置に送信する場合、受信側の静止画伝送装置が以前に同じ静止画を受信し保持している場合であっても、新たに接続した静止画伝送装置との間で静止画を送受信している。
【発明の開示】
【発明が解決しようとする課題】
【０００３】
このように、従来の静止画伝送装置では、相手静止画伝送装置が送信しようとする静止画と同じ静止画を保持していても初めて接続する静止画伝送装置との間では静止画を送受信するようにしているために、必ず静止画送受信時間が必要であり、受信するための保持エリアを確保しなければならない。
本発明は、こうした従来技術における問題点に鑑みてなされたもので、初めて接続した静止画伝送装置同士の間でも送受信しようとする静止画を互いに保持している場合送受信をしないようにして無駄な静止画送受信を行わず、全てを送受信する方式において必要とした伝送静止画のための新たな保持エリアを確保することをなくし、システムの効率を上げることをその解決すべき課題とする。
【課題を解決するための手段】
【０００４】
本発明の第１の技術手段は、静止画データを保持する静止画保持手段と、該静止画保持手段が保持しいている静止画の識別子を保存する静止画識別子管理手段と、通信路から静止画識別子を受信する静止画識別子受信手段と、当該静止画識別子受信手段が受信した静止画識別子と前記静止画識別子管理手段に保存されている静止画識別子との一致／不一致を判定する静止画識別子検査手段と、通信路に静止画識別子を送信する静止画識別子送信手段と、通信路から静止画データを受信する静止画受信手段と、受信すべき静止画データの伝送の指示を制御する静止画受信制御手段を有し、前記静止画受信手段が受信した静止画識別子について前記静止画識別子検査手段の前記判定が一致の場合、送信端へ静止画データの伝送を要しない旨を指示する送信静止画保持識別子を送信し、前記判定が不一致の場合は送信端へ静止画データの伝送を指示する送信静止画応答識別子を送信し、前記受信した静止画識別子を前記静止画識別子管理手段に格納すると共に、送信端から伝送された静止画データを受信し前記静止画保持手段に格納する静止画伝送装置を特徴とする。
【０００５】
第２の技術手段は、静止画データを保持する静止画保持手段と、該静止画保持手段が保持しいている静止画の識別子を保存する静止画識別子管理手段と、通信路から静止画識別子を受信する静止画識別子受信手段と、通信路に静止画識別子を送信する静止画識別子送信手段と、通信路に静止画データを送信する静止画送信手段と、静止画データの伝送を制御する静止画送信制御手段を有し、前記静止画送信制御手段は、送信すべき静止画データの静止画識別子の送信に対し受信端から静止画の伝送を指示する送信静止画応答識別子の応答があった場合、前記静止画データ保持手段が保持する当該静止画識別子に該当する静止画データを伝送し、受信端で前記送信すべき静止画データを保持している旨を示す送信静止画保持識別子の応答があった場合は静止画データの伝送をしない静止画伝送装置を特徴とする。
【０００６】
第３の技術手段は、第２の技術手段において、静止画データを取込む静止画入力手段と、自端末番号及び／又は日付及び／又は順序番号格納手段と、前記静止画入力データ手段により取込んだ静止画データに識別子を設定する静止画識別子設定手段を有し、前記静止画識別子設定手段は、前記取込んだ静止画データの静止画識別子を前記自端末番号及び／又は日付及び／又は順序番号格納手段に格納された情報から作成し、当該静止画識別子を前記静止画識別子管理手段に格納すると共に前記静止画データを前記静止画保持手段に格納する静止画伝送装置を特徴とする。
【発明の効果】
【０００７】
初めて接続した静止画伝送装置同士の間でも送受信しようとすると静止画を互いに保持していることを識別できるため、静止画を送受信せずに静止画送受信時間を省略したり、受信静止画伝送装置に新たな静止画受信のための保持エリアを確保する必要がなくなる。従って、静止画伝送装置において本発明を適用することにより、静止画の送受信時間の省略，静止画の保持エリアの省略を行うことができるという顕著な効果を得ることができる。
【発明を実施するための最良の形態】
【０００８】
以下に、図面を参照して本発明の実施形態を説明する。
図１は、本発明の静止画伝送装置の一実施形態を示すブロック図である。図１において、静止画識別子受信部１１は、通信路に接続されており、この通信路を介して送信静止画識別子，静止画保持識別子及び送信静止画応答識別子を受信する。
受信した識別子をチェックしその結果に従い送信静止画識別子であればその静止画識別子を静止画識別子検査部１２へ出力し、送信静止画保持識別子及び送信静止画応答識別子であればそれらを静止画送信制御部２４へ出力する。静止画識別子検査部１２は、受信した静止画識別子が装置に格納されている静止画の識別子と一致するか否かを判定し、その結果に基づき一致する場合は静止画一致識別子を，不一致の場合は静止画不一致識別子を静止画受信制御部２２へ出力する。
なお、静止画データは装置の静止画格納エリア３１1〜３１3に格納されており、当該静止画の識別子が静止画識別子管理エリア１４に保存されている。
【０００９】
静止画受信制御部２２は、静止画識別子検査部１２から出力された静止画一致識別子または静止画不一致識別子かを判定し、その結果、静止画一致識別子であれば、静止画保持識別子を静止画識別子送信部１３へ出力し受信処理を終了する。
また、静止画不一致識別子であれば、前記受信した送信静止画識別子を静止画識別子管理エリア１４に格納し、送信静止画応答識別子を静止画識別子送信部１３へ出力する。静止画識別子送信部１３は当該静止画応答識別子を相手端（送信端）へ送信することにより、相手端からの静止画の伝送を待つ。
伝送された静止画を静止画受信部２１が受信すると当該静止画データは静止画保持エリア３１1〜３１3へ格納され、保持エリアの位置情報が静止画識別子管理エリア１４に保存される。
静止画受信部２１は、通信路に接続されており、通信路を介して他の静止画伝送装置から伝送される静止画データを受信し、受信した静止画データを静止画受信制御部２２へ出力する。
【００１０】
静止画入力部２５は、入力装置（図示せず）と接続されており、この入力装置を介して伝送する静止画を取り込み、取り込んだ静止画を静止画識別子設定部１５へ出力する。
静止画識別子設定部１５は、静止画入力部２５から受信した静止画を静止画保持エリア３１1〜３１3へ格納する。また、電話番号等の自端末番号・日付・順序番号格納エリア１６の情報から静止画識別子を作成し、静止画を格納した格納エリアの位置情報とともに静止画識別子管理エリア１４へ格納する。
【００１１】
静止画送信制御部２４は、静止画識別子設定部１５から静止画識別子を受け取り静止画識別子送信部１３へ出力する。静止画識別子送信部１３は当該静止画識別子を相手端へ送信することにより、相手端からの応答を待つ。相手端末の応答を待ち合わせ、静止画識別子受信部１１が送信静止画応答識別子を受信した場合、送信すべき静止画データを静止画保持エリア３１1〜３１3から取り出し静止画送信部２３へ出力することにより静止画送信部２３が当該静止画データを相手端へ伝送する。また、静止画識別子受信部１１が送信静止画保持識別子を受信した場合は、静止画データの伝送をすることなく静止画送信処理を終了する。
静止画識別子送信部１３は、通信路へ接続されており、静止画受信制御部２２から出力された送信静止画応答識別子、送信静止画保持識別子及び静止画送信制御部２４から出力された、送信静止画識別子を通信路へ送信する。
【００１２】
図２ないし図９は、それぞれ図１の静止画伝送装置の要部の動作を示すためのフローチャートであり、図２は、静止画識別子受信部１１が実行するルーチン、図３は、静止画識別子検査部１２が実行するルーチン、図４は、静止画受信制御部２２が実行するルーチン、図５は、静止画入力部２５が実行するルーチン、図６は、静止画識別子設定部１５が実行するルーチン、図７は、静止画送信制御部２４が実行するルーチン、図８は、静止画識別子送信部１３が実行するルーチン、図９は、静止画送信部２３が実行するルーチンである。
【００１３】
以下、これらの図を参照して本実施形態における各部の動作を説明する。
図２は、通信路から識別子を受信するときの静止画識別子受信部１１が実行するルーチンＲ１で、まず、通信路から静止画識別子を受信し（ステップＳ１）、受信した静止画識別子が送信静止画識別子か判定し（ステップＳ２）、送信静止画識別子と判定された場合は、その静止画識別子を静止画識別子検査部１２へ出力し、（ステップＳ５）、これにより、図３に示すルーチンＲ２へ移動する。
ステップＳ２で送信静止画識別子と判定されない場合は、送信静止画保持識別子か判定し（ステップＳ３）、送信静止画保持識別子と判定された場合は、受信した静止画保持識別子を静止画送信制御部２４へ出力し（ステップＳ６）、これにより、図７に示すルーチンＲ６へ移行する。
ステップＳ３で送信静止画保持識別子と判定されなかった場合、次に送信静止画応答識別子か判定し（ステップＳ４）、送信静止画応答識別子と判定された場合、受信した送信静止画応答識別子を静止画送信制御部２４へ出力し（ステップＳ６）、これにより、図７に示すルーチンＲ６へ移行する。ステップＳ４で送信静止画応答識別子と判定されなかった場合は、ステップＳ１へ進み通信路からの静止画識別子の受信を繰り返す。
【００１４】
図３は、静止画識別子検査部１２が実行するルーチンＲ２で、まず、静止画識別子受信部１１が出力する静止画識別子の有無を判定し（ステップＳ７）、静止画識別子がないと判定された場合は、静止画識別子を受け取るまでこのステップを繰り返す。
静止画識別子受信部１１から静止画識別子が出力されると、静止画識別子管理エリア１４に保存されている静止画識別子を取り出し（ステップＳ８）、取り出した静止画識別子と一致するか判定する（ステップＳ９）。
ここで、一致しないと判定されると比較した静止画識別子が静止画識別子管理エリア１４の最後か判定し（ステップＳ１１）、最後でない場合はステップＳ８へ戻り、静止画識別子受信部１１からの静止画識別子の静止画管理エリア１４の静止画識別子が一致するか、もしくは静止画識別子管理エリア１４の最後まで検索が進むまでステップＳ８，Ｓ９，Ｓ１１を繰り返す。
静止画識別子と静止画識別子管理エリア１４から取り出した静止画識別子が一致したと判定された場合は、静止画一致識別子を静止画受信制御部２２へ出力し（ステップＳ１０）、これにより、図４に示すルーチンＲ３へ移動する。
また、ステップＳ１１で静止画識別子管理エリア１４から取り出した最後の静止画識別子まで判定された場合は、静止画不一致識別子を静止画受信制御部２２へ渡し（ステップＳ１２）、これにより、図４に示すルーチンＲ３へ移行する。
【００１５】
図４は、静止画受信制御部２２が実行するルーチンＲ３で、まず、静止画識別子検査部１４における上述のステップを経て受信した識別子が静止画一致識別子かを判定し（ステップＳ１３）、静止画一致識別子と判定された場合、送信静止画保持識別子を静止画識別子送信部１３へ出力する（ステップＳ２０）。これにより、後述の図８に示すルーチンＲ７へ移行し、静止画識別子送信部１３が相手端（送信端）へ静止画データの伝送を要しない旨を指示する送信静止画保持識別子を送信し静止画受信処理を終了する。
また、ステップ１３で静止画一致識別子と判定されない場合、静止画不一致識別子か判定し（ステップＳ１４）、静止画不一致識別子と判定されなかった場合、ステップＳ１３へ戻り、ここで、静止画識別子検査部１４からの識別子が静止画一致識別子もしくは静止画不一致識別子を受信するまでステップＳ１３，Ｓ１４を繰り返す。
ステップＳ１４で静止画不一致識別子と判定された場合、受信した静止画識別子を静止画識別子管理エリア１４へ格納し（ステップＳ１５）、静止画データの送信を指示する送信静止画応答識別子を静止画識別子送信部１３へ出力する（ステップＳ１６）。これにより、ルーチンＲ７により静止画識別子送信部１３が相手端に送信静止画応答識別子を送信し、相手端から応答として静止画データが伝送されるのを待つ。そして、静止画受信部２１が相手端から伝送された静止画データを受信すると静止画データが受信されたことを確認する（ステップＳ１７）。
次いで、受信した静止画データを静止画保持エリア３１1〜３１3へ格納し（ステップＳ１８）、当該静止画データを格納した位置情報を静止画識別子と共に静止画識別子管理エリア１４へ格納し（ステップＳ１９）、静止画受信処理を終了する。このように、静止画受信制御部２２は、送信端に対する受信すべき静止画データの伝送の指示を制御する。
【００１６】
図５は、静止画入力部２５が実行するルーチンＲ４で、まず、静止画入力装置（図示せず）から静止画データを受信するかをチェックし（ステップＳ２１）、受信するまでこのステップを繰り返し、静止画データが受信された場合、静止画データを静止画識別子設定部１５へ出力し（ステップＳ２２）、これにより、図６に示すルーチン５へ移行する。
図６は、静止画識別子設定部１５が実行するルーチンＲ５で、まず、受信したデータが静止画データか判定し（ステップＳ２３）、ここで、静止画入力部２５から静止画データを受信すると、電話番号等の自端末番号・日付・順序番号格納エリア１６から各情報を取り出し静止画識別子を作成し（ステップＳ２４）、次いで、受信した静止画データを静止画保持エリア３１1〜３１3へ格納する（ステップＳ２５）と共に、ステップＳ２４で作成した静止画識別子とステップＳ２５で静止画データを格納した位置情報を共に静止画識別子管理エリア１４へ格納する（ステップＳ２６）。また、格納した静止画識別子を静止画送信制御部２４へ渡し（ステップＳ２７）、これにより、図７に示すルーチン６へ移行する。
【００１７】
図７は、静止画送信制御部２４が実行するルーチンＲ６で、まず、受信したデータが静止画識別子かを判定する（ステップＳ２８）。静止画送信制御部２４には前記の静止画識別子設定部１５が設定した静止画識別子と静止画識別子受信部１１が受信した送信静止画保持識別子または送信静止画応答識別子が出力される。
静止画識別子設定部１５から出力された静止画識別子は、静止画識別子送信部１３から相手端（受信端）へ送信静止画識別子として送信され（ステップＳ２９）、静止画識別子受信部１１が相手端から応答として送信される各種静止画識別子を受信するのを待つ。
静止画識別子受信部１１が相手端から送信された静止画識別子を受信する（ステップＳ３０）と、静止画識別子受信部１１からの識別子が送信静止画保持識別子か判定し（ステップＳ３１）、送信静止画保持識別子である場合は、送信すべき静止画を相手端が保持しているので静止画データを送信することなく静止画送信処理を終了する（ステップ３６）。
ステップ３１で送信静止画保持識別子と判定されない場合、送信静止画応答識別子か判定し（ステップＳ３２）、送信静止画応答識別子と判定されない場合ステップＳ３０へ戻って、静止画識別子受信部１１からの受信識別子が送信静止画保持識別子もしくは送信静止画応答識別子を受信するまでステップＳ３０，Ｓ３１，Ｓ３２を繰り返す。
ステップＳ３２で送信静止画応答識別子と判定すると静止画識別子管理エリア１４から静止画識別子が示す静止画保持エリア３１1〜３１3に格納されている静止画データの位置情報を取り出し（ステップＳ３３）、取り出した静止画保持エリアの位置情報から静止画データを取り出し（ステップＳ３４）、静止画データを静止画送信部２３へ出力し（ステップＳ３５）、これにより図９に示すルーチン８へ移行し、当該静止画データを相手端へ伝送し静止画送信処理を終了する。このように、静止画送信制御部２４は受信端への静止画データの伝送を制御する。
【００１８】
図８は、静止画識別子送信部１３が実行するルーチンＲ７で、各種識別子が送信静止画応答識別子か（ステップＳ３８）、送信静止画保持識別子か（ステップＳ３９）、送信静止画識別子か（ステップＳ４０）をそれぞれ判定する。
ステップＳ３８で送信静止画応答識別子と判定された場合、また、ステップＳ３９で送信静止画保持識別子と判定された場合、また、ステップＳ４０で送信静止画識別子と判定された場合は全てそれぞれの該当する識別子を通信路へ送信する（ステップＳ４１）。
図９は、静止画送信部２３が実行するルーチンＲ８で、まず、静止画送信制御部２４からのデータをチェックし（ステップＳ４２）、静止画データを受信すると、静止画データを通信路（相手端）へ送信する（ステップＳ４３）。
以上のように静止画伝送において静止画の受信端は、まず、図２に示すように静止画識別子受信部１１が送信静止画識別子を受信し、ステップ５を経て静止画識別子検査部１２により図３に示すようにステップ８、９を経て受信した静止画識別子（前記送信静止画識別子）に該当する静止画データを自端で保持しているか否かをチェックする。
保持していれば（ステップ１０）、図４の静止画受信制御部２２の処理ステップ２０を経て静止画識別子送信部１３から自端で受信すべき静止画データを保持しているので静止画データの伝送を要しない旨を指示する送信静止画保持識別子を相手端（送信端）へ送信し（図８ステップ３９、４１）静止画受信処理を終了する。
一方、自端で静止画データを保持していない場合（図３ステップ９、１１、１２）、静止画受信制御部２２へ静止画不一致識別子が出力される。これにより静止画受信制御部２２は受信した静止画識別子を静止画識別子管理エリア１４に格納すると共に、受信すべき静止画データの伝送を指示する送信静止画応答識別子を静止画識別子送信部１３から相手端（送信端）へ送信する（ステップ１４、１５）。
相手端（送信端）は受信端からの送信静止画応答識別子の送信を受信することにより、受信端へ静止画データを伝送する（後述）。
静止画受信部２１でこの静止画データが受信されると、当該静止画データは静止画保持エリア３１１〜３１３に格納すると共に、格納位置情報を静止画識別子管理エリア１４へ格納する（図４ステップ１５〜１９）。
また、静止画の送信端は、静止画識別子送信部１３から送信すべき静止画データの静止画識別子を送信静止画識別子として相手端へ送信する（図８ステップ４０、４１）。
新たな静止画データを送信する場合は、静止画入力部２５により静止画データを取込み、図６に示すように、静止画識別子設定部１５により当該静止画データの識別子を作成する。当該静止画データを静止画保持エリア３１１〜３１３に格納すると共に、保持エリアの位置情報と共に作成した静止画識別子を静止画識別子管理エリア１４に格納する。
なお、静止画識別子は、電話番号等の自端末番号・日付・順序番号格納エリア１６の情報から作成される。
送信静止画識別子の送信に対し、相手端（受信端）が送信されるべき静止画データを保持してない場合、前述のように受信端から送信静止画応答識別子が送信（返信）され、これが静止画識別子受信部１１で受信されると、図７に示すように静止画送信制御部２４のステップ３２〜３５の処理を経て静止画送信部２３から静止画データを相手端へ伝送する。
また、相手端が静止画データを保持している場合、送信静止画保持識別子が送信（返信）され、送信端の静止画識別子受信部１１がそれを受信することにより、図７に示すようにステップ３０，３１、３６により静止画送信処理を終了する。
【図面の簡単な説明】
【００１９】
【図１】本発明の静止画伝送装置の一実施形態を示すブロック図である。
【図２】図１の静止画伝送装置における静止画識別子受信部の動作を説明するためのフローチャートである。
【図３】図１の静止画伝送装置における静止画識別子検査部の動作を説明するためのフローチャートである。
【図４】図１の静止画伝送装置における静止画受信制御部の動作を説明するためのフローチャートである。
【図５】図１の静止画伝送装置における静止画入力部の動作を説明するためのフローチャートである。
【図６】図１の静止画伝送装置における静止画識別子設定部の動作を説明するためのフローチャートである。
【図７】図１の静止画伝送装置における静止画送信制御部の動作を説明するためのフローチャートである。
【図８】図１の静止画伝送装置における静止画識別子送信部の動作を説明するためのフローチャートである。
【図９】図１の静止画伝送装置における静止画送信部の動作を説明するためのフローチャートである。
【符号の説明】
【００２０】
１１…静止画識別子受信部、１２…静止画識別子検査部、１３…静止画識別送信部、１４…静止画識別子管理エリア、１５…静止画識別子設定部、１６…自端末番号・日付・順序番号格納エリア、２１…静止画受信部、２２…静止画受信制御部、２４…静止画送信制御部、２５…静止画入力部、３１１〜３１３…静止画保持エリア。
【図１】
2007274723.tif 000003
【図２】
2007274723.tif 000004
【図３】
2007274723.tif 000005
【図４】
2007274723.tif 000006
【図５】
2007274723.tif 000007
【図６】
2007274723.tif 000008
【図７】
2007274723.tif 000009
【図８】
2007274723.tif 000010
【図９】
2007274723.tif 000011